(57)【要約】【課題】発光ダイオードを光源とするタクシーの屋根上表示灯であって、その製造コストが軽減されるようにする。【解決手段】水平に設けられる基板１上に複数個の発光ダイオード５を上向きに配設し、相対する両側壁１１ａ，１１ｂを内側に傾斜させることにより頂部が緩やかに湾曲した山形の横断面形状に形成された半透明合成樹脂製の剛性ケース体１０を形成し、該ケース体を前記基板上に前記発光ダイオードを覆うように設け、該発光ダイオードから放射された光が前記両側壁に照射されることにより外方に拡散されるようにすると共に、透光性で可撓性がある合成樹脂シート１３の裏面に社標等の標章１４ａ，１４ｂを印刷し、該合成樹脂シートを緩やかな二つ折りにし印刷面が裏側となるように前記両側壁の両表面に跨って貼着する。【選択図】図４
2007114366.tif 000002
【特許請求の範囲】
【請求項１】
水平に設けられる基板上に複数個の発光ダイオードを上向きに配設し、相対する両側壁を内側に傾斜させることにより頂部が緩やかに湾曲した山形の横断面形状に形成された半透明合成樹脂製の剛性ケース体を形成し、該ケース体を前記基板上に前記発光ダイオードを覆うように配置し、該発光ダイオードから放射された光が前記両側壁に照射されることにより外方に拡散されるようにすると共に、透光性で可撓性がある合成樹脂シートに社標等の標章を印刷し、該合成樹脂シートを緩やかな二つ折りにし印刷面が裏側となるように前記両側壁の両表面に跨って貼着してなることを特徴としたタクシーの屋根上表示灯。
【発明の詳細な説明】
【技術分野】
【０００１】
本発明は、発光ダイオードを光源とするタクシーの屋根上表示灯の構造に関するものである。
【背景技術】
【０００２】
タクシーの屋根上表示灯は、一般に社標等が表示された半透明合成樹脂製のケース体の内部に光源としてのランプを設けたものであった。
一方、下記特許文献１および特許文献２に示されたタクシーの屋根上載置用表示器は、基板上に発光ダイオードからなる複数の発光素子を「空車」「回送」等の表示パターンが形成されるように配設し、該基板を透明な合成樹脂製ケース体によって覆うものであった。
【特許文献１】特開２０００−１９４２９７号公報
【特許文献２】特開２０００−２６７６０５号公報
【発明の開示】
【発明が解決しようとする課題】
【０００３】
ところで、上記ケース体はタクシー会社によって社標がそれぞれ異なるようにタクシー会社固有の形状に成形するものであり、従来では平面板状の合成樹脂板に社標等を印刷してからこの印刷面が内側となるように合成樹脂板を所要形状にインジェクション成形していた。このためインジェクション成形に伴う合成樹脂板の伸縮により社標等の形状が変形してしまうという問題があり、その対策として伸縮量を予め計算に入れて社標等を印刷したうえでインジェクション成形する必要があった。従って従来ではこのような屋根上表示灯を製造するのに非常に手間が掛かりコストが高くつく状況であった。しかもタクシー会社毎に形状が異なるので製造コストが一層高くなる状況であった。
【０００４】
また、従来の上記ランプを光源とする表示灯は、フィラメントが切れ易いため短期間で定期的に交換する必要があり、そのメンテナンスコストも高いものとなっていた。
この点、発光ダイオードは振動にも強く寿命が大幅に延長されると共に消費電力が少ないなどの利点があるが、発光ダイオードをタクシーの屋根上表示灯の光源とすると、夜間にタクシーの前方からも後方からも良く見られるようにするためには多数の発光ダイオードを前面と後面に配置する必要があり、しかも発光ダイオードはランプと違って点光源であるので、明るさがまだらになり易いという問題があった。
本発明は、タクシーの屋根上表示灯におけるこのような問題点を解決しようとするものである。
【課題を解決するための手段】
【０００５】
そのために本発明に係るタクシーの屋根上表示灯は、水平に設けられる基板上に複数個の発光ダイオードを上向きに配設し、相対する両側壁を内側に傾斜させることにより頂部が緩やかに湾曲した山形の横断面形状に形成された半透明合成樹脂製の剛性ケース体を形成し、該ケース体を前記基板上に前記発光ダイオードを覆うように配置し、該発光ダイオードから放射された光が前記両側壁に照射されることにより外方に拡散されるようにすると共に、透光性で可撓性がある合成樹脂シートに社標等の標章を印刷し、該合成樹脂シートを緩やかな二つ折りにし印刷面が裏側となるように前記両側壁の両表面に跨って貼着してなることを特徴とする。
【発明の効果】
【０００６】
合成樹脂シートに社標等の標章を印刷するものであるので、従来のようにケース体の成形に伴う変形，伸縮を考慮する必要がなく、該合成樹脂シートを緩やかに二つ折りして貼着するだけで簡単にケース体の両側壁に該標章を表示することができ、製造コストを大幅に軽減することができる。また、両側壁が内側に傾斜していることから発光ダイオードから放射された光をタクシーの前方および後方に均一に分散させ、明るさがまだらになることなく標章をくっきりと照らし出すことができる。また、標章の印刷面が裏側となるように合成樹脂シートを貼着することにより、印刷面を保護することができると共に、発光ダイオードの特質である低消費電力および長寿命化が達成される。
【発明を実施するための最良の形態】
【０００７】
次に本発明の実施の形態を図面と共に説明する。図１は本発明に係る表示灯の分解斜視図、図２はタクシーの屋根上に固設した本発明の表示灯の外観斜視図、図３は図２の表示灯の縦断面図、図３は図２の表示灯の横断面図である。１は長方形板状の基板で、該基板上に固着された取付板２に複数個の発光ダイオード５をその光軸が上向きとなるように適宜間隔を離して直線状に配設されている。なお、基板１の下面には複数の永久磁石６と複数の吸盤７が設けられ、該永久磁石および吸盤を吸着させることにより図２に示したようにタクシーの屋根８の上面に該基板１を簡易に固設できるようにしている。
【０００８】
１０は下面開放状であって相対する両側壁１１ａ，１１ｂを内側に傾斜させることにより頂部が緩やかに湾曲した山形の横断面形状に形成された半透明合成樹脂製の剛性ケース体で、該ケース体１１を前記基板１上に前記発光ダイオード５を覆うように配置し周縁部にビス１２を貫挿することにより固着する。また、１３は厚さ１ｍｍ程度で可撓性があるアクリル製シートのような透光性で可撓性のある合成樹脂シートで、該合成樹脂シートに社標等の標章１４ａ，１４ｂをスクリーン印刷する。そして、該合成樹脂シート１３を緩やかな二つ折りにしその印刷面が裏側となるように前記ケース体の両側壁１１ａ，１１ｂの両表面に跨って貼着する。なお、この合成樹脂シート１３をケース体１１に貼着する手段としては、合成樹脂シート１３の裏面に適宜接着材を塗布し接着したり、リベットを貫挿して固着したり、或いは、ケース体１０および合成樹脂シート１３に互いに係合し得る係合部を予め形成しておく等の手段が考えられる。なお、１５は発光ダイオードに電力を供給するためタクシーの屋根上に配線されるケーブルである。
【０００９】
このように構成した屋根上表示灯では、発光ダイオード５から上向きに放射した光が内向き傾斜状にある両側壁１１ａ，１１ｂに当たって拡散するので該ケース体１０全体を均一に発光させることができる。そしてその光は両側壁１１ａ，１１ｂの表面に被着された透光性の合成樹脂シート１３を透過することで該合成樹脂シートに印刷されている社標等の標章１４ａ，１４ｂを明るく照らし出すことができ、夜間にタクシーの前方および後方に該標章を輝かせ、タクシーの存在を周囲の顧客に広く知らしめることができる。
【００１０】
このように本発明に係る屋根上表示灯は、社標等の標章１４ａ，１４ｂが印刷された合成樹脂シート１３を緩やかに二つ折りして貼着するだけで該標章を該ケース体の両側壁１１ａ，１１ｂに表示することができ、従来のようにケース体の成形に伴う変形，伸縮を考慮する必要もなく製造が容易となる。また、合成樹脂シート１３に社標等の標章１４ａ，１４ｂを印刷するものであるので、ケース体をインジェクション成形するのに必要な金型がタクシー会社毎に必要になることもないので、製造コストを大幅に軽減することができる。また、ケース体の両側壁１１ａ，１１ｂが内側に傾斜していることから発光ダイオード５から放射された光をタクシーの前方および後方に均一に分散させ、明るさがまだらになることなく標章をくっきりと照らし出すことができる。また、標章の印刷面が裏側となるように合成樹脂シート１３を貼着することにより、印刷面を保護することができる。しかも、発光ダイオードの特質である低消費電力および長寿命化が達成されメンテナンス容易となるのでタクシーの負担が軽減されるなど、その効果は顕著である。
【図面の簡単な説明】
【００１１】
【図１】本発明の実施形態に係る屋根上表示灯の分解斜視図。
【図２】本発明の実施形態に係る屋根上表示灯の使用状態を示す外観斜視図。
【図３】図２に示した屋根上表示灯の縦断面図。
【図４】図２に示した屋根上表示灯の横断面図。
【符号の説明】
【００１２】
１                基板
５                発光ダイオード
８                タクシーの屋根
１０              ケース体
１１ａ，１１ｂ    両側壁
１３              合成樹脂シート
１４ａ，１４ｂ    標章
【図１】
2007114366.tif 000003
【図２】
2007114366.tif 000004
【図３】
2007114366.tif 000005
【図４】
2007114366.tif 000006